(57)【特許請求の範囲】
【請求項１】
取り付け対象面（Ｏ）から突設した取り付けボルト（Ｂ）を覆って内部固定することで取り付け対象面（Ｏ）に取り付けられる取り付け脚部（３）と、
取り付け対象面（Ｏ）に取り付けて取り付け状態とした取り付け脚部（３）に固定される把持部（４）とを具備してなる建築扉用ハンドルであって、
取り付け脚部（３）は、取り付け状態における取り付け対象面（Ｏ）寄りの位置に内部形成した第一収容空間（３１）と、取り付け状態において第一収容空間よりも取り付け対象面から離れた位置に内部形成した第二収容空間（３２）と、第一収容空間（３１）及び第二収容空間（３２）を連通する連通孔（３３Ｈ）とを有し、
前記第一収容空間（３１）は、取り付け対象面との対向面に設けた取り付け口（３１Ｍ）と連通開口してこの取り付け口（３１Ｍ）から取り付けボルト（Ｂ）を収容するものであり、
前記第二収容空間（３２）は、取り付け対象面との対向面以外の面に設けた収容口（３２Ｍ）と連通開口してこの収容口（３２Ｍ）から固定具（２）を収容するものであり、
第一収容空間（３１）内に収容した取り付けボルト（Ｂ）と第二収容空間（３２）内に収容した収容状態の固定具（２）とを、前記連通孔（３３Ｈ）を介して接続することで、
取り付けボルト（Ｂ）を収容状態の固定具（２）によって取り付け脚部（３）内に内部固定することを特徴とする建築扉用ハンドル。
【請求項２】
第二収容空間（３２）内には、前記収容状態における固定具（２）のうち第二収容空間（３２）内に残る部分を枠状に保持し得る保持枠（３２Ｗ/３２Ｌ）が設けられ、
固定具（２）は、それ自体の一部が連通孔（３３Ｈ）から第一収容空間（３１）側に突出し、それ自体の残りの部分が前記保持枠（３２Ｗ/３２Ｌ）によって自由回転を規制されたまま枠保持された枠保持状態となるものであり、枠保持状態の固定具（２）が取り付けボルト（Ｂ）と接続されることで枠保持状態のまま取り付け脚部（３）内に固定される請求項１記載の建築扉用ハンドル。
【請求項３】
把持部（４）は、取り付け脚部（３）の前記収容口（３２Ｍ）を塞ぐ状態で取り付け脚部（３）に固定される請求項１又は２記載の建築扉用ハンドル。
【請求項４】
取り付けボルト（Ｂ）に螺合して取り付けボルト（Ｂ）よりも先側に伸長配置されるスリーブ（１）を具備し、固定具（２）は前記スリーブ（１）の先側に螺合接続されることで、取り付けボルト（Ｂ）に螺合したスリーブ（１）を介して取り付けボルト（Ｂ）を第一収容空間内（３１）に固定する請求項１、２又は３のいずれか記載の建築扉用ハンドル。
【発明の詳細な説明】
【技術分野】
【０００１】
本発明は、建築用扉のハンドル（把手）を取り付ける取り付け脚部、及びこれを備えた建築扉用のハンドルに関する。
【背景技術】
【０００２】
従来、扉のハンドル装置として室内側台座とこの室内側台座に対して偏心して設けられた鉛直方向に延びる室内側ハンドルバーを備えたものが開示される（特許文献１参照）。
【先行技術文献】
【特許文献】
【０００３】
【特許文献１】特開２００３−３１４０９４号公報
【発明の概要】
【発明が解決しようとする課題】
【０００４】
しかしながら、上記従来のハンドルバーは取り付け用のビスが扉の両側で露出するものであり、体裁が良くないとともに繰り返し使用によってビスが緩む可能性がある。またビスによってボルトを側方から直接圧接固定するためボルトの圧接面が潰れてしまったりビスが滑ったりしたときに強固に固定できない場合がある。
【０００５】
そこで本発明では、上記従来のハンドルバーのように、取り付け用のビスが扉の両側で露出することなく体裁が良いハンドルを構成し得るものであり、繰り返し使用によってもビスが緩む可能性が少なく強固に固定し得る建築用扉のハンドルを提供することを課題とする。
【課題を解決するための手段】
【０００６】
上記課題を解決すべく本発明では下記手段を講じるものとしている。
（１）本発明の建築扉の取り付け構造は、
取り付け対象面Ｏから突設させた取り付けボルトＢを覆って内部固定することで取り付け対象面Ｏに取り付けられる取り付け脚部３と、
取り付け対象面Ｏに取り付けて取り付け状態とした取り付け脚部３に固定される把持部４とを具備してなる建築扉用ハンドルであって、
取り付け脚部３は、取り付け状態における取り付け対象面Ｏ寄りの位置に内部形成した第一収容空間３１と、取り付け状態において第一収容空間よりも取り付け対象面Ｏから離れた位置に内部形成した第二収容空間３２と、第一収容空間３１及び第二収容空間３２を連通する連通孔３３Ｈとを有し、
前記第一収容空間３１は、取り付け対象面Ｏとの対向面に設けた取り付け口３１Ｍと連通開口してこの取り付け口３１Ｍから取り付けボルトＢを収容するものであり、
前記第二収容空間３２は、取り付け対象面Ｏとの対向面以外の面に設けた収容口３２Ｍと連通開口してこの収容口３２Ｍから固定具２を収容するものであり、
第一収容空間３１内に収容した取り付けボルトＢと第二収容空間３２内に収容した収容状態の固定具２とを、前記連通孔３３Ｈを介して接続することで、
取り付けボルトＢを収容状態の固定具２によって取り付け脚部３内に内部固定することを特徴とする。
（２）前記建築扉用ハンドルにおいて、第二収容空間３２内には、前記収容状態における固定具２のうち第二収容空間３２内に残る部分を枠状に保持し得る保持枠３２Ｗ／３２Ｌが設けられ、
固定具２は、それ自体の一部であるネジ部２１が連通孔３３Ｈから第一収容空間３１側に突出し、それ自体の残りの部分である頭部２２が前記保持枠３２Ｗ／３２Ｌによって自由回転を規制されたまま枠保持された枠保持状態となるものであり、
枠保持状態の固定具２が取り付けボルトＢと接続されることで枠保持状態のまま取り付け脚部３内に固定されることが好ましい。
【０００７】
具体的には固定具は頭部２２の中心から伸びるねじ部２１を有してなり、このうち頭部２２は多角形板からなり、この多角形板の互いに相反する一側方及び他側方の側面が溝枠３２Ｗ／３２Ｌの枠内に嵌入して、固定具の自由回転が規制又は制限される。
（３）前記いずれかの建築扉用ハンドルにおいて、把持部４は、取り付け脚部３の前記収容口３２Ｍを塞ぐ状態で取り付け脚部３に固定されることが好ましい。
（４）前記いずれかの建築扉用ハンドルにおいて、さらに取り付けボルトＢに螺合して取り付けボルトＢよりも先側に伸長配置されるスリーブ１を具備し、
固定具２は前記スリーブ１の先側に螺合接続されることで、取り付けボルトＢに螺合したスリーブ１を介して取り付けボルトＢを第一収容空間内３１に固定することが好ましい。
【発明の効果】
【０００８】
上記解決手段を講じることで、収容した消火器の出し入れが容易であり、壁への取付けに関し、予め消火器収納用の本体を壁材の内部の所定位置及び所定高さに仕込み固定しておく必要がなく、建築扉の取り付け構造の設置作業の順番に制限が生じない建築扉の取り付け構造を提供することができた。
【図面の簡単な説明】
【０００９】
【図１】本発明の実施例１の建築扉用ハンドルの全体分解斜視図。
【図２】実施例１の建築扉用ハンドルの取り付け状態の断面説明図。
【図３】実施例１の取り付け脚部２の正面図及び各断面図。
【図４】固定具２の収容前後の状態における取り付け脚部２の正面図及び各断面図。
【図５】固定具２の収容前及び収容中の状態における取り付け脚部２の一部切断斜視図。
【図６】固定具２の収容（後の）状態における取り付け脚部２の一部切断斜視図。
【図７】実施例１の建築扉用ハンドルの取り付け状態例を示す断面説明図。
【発明を実施するための形態】
【００１０】
以下本発明を実施するための形態について実施例として示す各図と共に説明する。いずれの実施例においても、本発明の建築扉用ハンドルは、少なくとも取り付け対象面Ｏから突設させた取り付けボルトＢを覆って内部固定することで取り付け対象面Ｏに取り付けられる取り付け脚部３と、取り付け対象面Ｏに取り付けて取り付け状態とした取り付け脚部３に固定される把持部４とを具備してなる。
取り付け脚部３は、取り付け状態における取り付け対象面Ｏ寄りの下部位置に内部形成した第一収容空間３１と、取り付け状態において第一収容空間３１よりも取り付け対象面Ｏから離れた上部位置に内部形成した第二収容空間３２と、第一収容空間３１及び第二収容空間３２を連通する連通孔３３Ｈとを有する。
第一収容空間３１は、取り付け対象面Ｏとの対向面に設けた取り付け口３１Ｍに連通開口しており、この取り付け口３１Ｍから取り付けボルトＢを収容するものである。
また第二収容空間３２は、取り付け対象面Ｏとの対向面以外の面である取り付け脚部３の一側面に設けた収容口３２Ｍに連通開口しており、この収容口３２Ｍから固定具２を収容するものである。
そして、第一収容空間３１内に収容した取り付けボルトＢと、第二収容空間３２内に収容して収容状態Ｓ２となった固定具２とを、前記連通孔３３Ｈを介して接続することで、
取り付けボルトＢを収容状態の固定具２によって取り付け脚部３内に内部固定し、取り付け脚部３を取り付け対象面Ｏに取り付けた取り付け状態とする。
（取り付けボルトＢと固定具２の接続）
第一収容空間３１内の取り付けボルトＢと第二収容空間３２内の固定具２との接続は、連通孔３３Ｈを介して行われる。すなわち取り付けボルトＢと固定具２の少なくともいずれか又は両方が連通孔３３Ｈから突出してその先の収容空間で接続されるか、或いは、取り付けボルトＢと固定具２の少なくともいずれか又は両方が連通孔３３Ｈの孔内で接続される。
取り付けボルトＢと固定具２とは直接接続されるものであっても、取り付けボルトＢと固定具２の両方に接続される媒介具を介して間接的に接続されるものであっても良い。また接続方式は雄ネジと雌ネジの螺着によるもの、凹凸嵌合構造によるもの、周囲から弾性材または合成材で圧着するもの、フック状に係止するもの、あるいは溶着又は接着するものなど、任意の方式及びこれらの併用を採用することができる。
実施例では図２に示すように、内ネジを有した筒体からなるスリーブ１を接続用の媒介具として用いており、取り付けボルトＢがスリーブ１下端から右ネジ周りに螺合固定される（図２ｂ、ｃ）とともに、六角ボルト状の固定具２がばねワッシャＷを介在させてスリーブ１上端から右ネジ周りに螺合固定される（図２ｂ、ｃ）。これにより第一収容空間２１内はスリーブ１が両端から共に右回りネジによって螺合固定され、かつスリーブ１上端が区画枠３３の下面に抑えられたばねワッシャＷによって常に下方へのテンションを受けており、スリーブ１が容易に緩むことなく確実に取り付けボルトＢに固定される。
前記取り付けボルトＢと固定具２とが接続された状態において、固定具２は、第二収容空間３２内で回転動と上下動が制限された収容状態Ｓ２となっている。具体的には固定具２の下部のねじ部２１はばねワッシャＷによって下方付勢されたスリーブ１に螺合されることで下方へ引っ張られた状態となって上下動が制限され、固定具２の上部である頭部２２は頭部幅と同じか僅かに広い間隔で対向形成された一対の保持壁枠３２Ｗの間に挟まれることで回転動が制限される（図２ｃ、図４ｂ、図４ｄ、及び図６）。
【００１１】
（取り付け方法）
実施例の建築用扉のハンドルを取り付ける際はまず、固定具２を、取り付け脚部３の一側面にて略Ｔ字状に開口した収容口３２Ｍから第二収容空間３２内に収容する（図２ａ、図４ａ、図４ｃ、図５）。このとき収容口３２Ｍの下端縁部分は細幅の溝枠３２Ｌで構成されており、固定具２のねじ部２１をＴ字状の収容口に合わせて下に向け、ねじ部２１先端の面取り部分をこの溝枠３２Ｌ内に入れて溝長さにそって奥へスライドして収容させ、第一収容状態Ｓ１とする。
また、前記収容とともに又は収容前後いずれかにおいて、取り付け対象面Ｏから突設させた取り付けボルトＢにスリーブ１を螺合させる（図２ｂ）。
そののち、第二収容空間３２内にある固定具２を下方へ押し込み、ねじ部２１を貫通孔３３Ｈ内に挿入する。これにより頭部２２の側面２２Ｓは保持壁枠３２Ｗに近接して自由回転を制限された収容状態で保持される（図２ｂ、図４ｂ、図４ｄ、図６）。
前記に先立って又は前記ののち、螺合させたスリーブ１上にばねワッシャＷを介在させて、その上から取り付け脚部３の固定口３１Ｍをかぶせ、第一収容空間内にスリーブを収容する。
次に取り付けボルトＢに螺合させた前記スリーブ１を内部の第一収容空間３１に収容したまま固定具２によって螺合固定する。このとき、  固定具収容空間３２内に収容された前記固定具２が、前記区画枠３３によって枠固定され、自由回転を制限された状態Ｓ２のまま固定具２の一部が第一収容空間３１に突出し、第一収容空間３１内のスリーブ１に固定される。
そののち、取り付け脚部３の一側面の突出枠３４とその面の両側部から棒状に突出したボス３５を把持部４にかぶせて接着する（図２ｃ）。
【００１２】
固定具２は第一収容空間３１側へ突出したまま第一収容空間３１内のスリーブ１に引っ張られる形で枠固定され、それ自体の自由回転が制限された枠固定状態Ｓ２を維持する。
【００１３】
取り付け脚部３は取り付けボルトＢに螺合させた前記スリーブ１を内部の第一収容空間３１に収容したまま固定具２によって固定することで、取り付け対象面Ｏに取り付けられる。
【００１４】
把持部４は取り付け対象面Ｏに取り付けられた取り付け脚部３の所定の側面に固定される棒状体であり、一対の取り付け脚部間に挟まれて固定面に設けた取り付け穴がボス４５に嵌入することで固定される。
【００１５】
前記取り付け脚部３は、それ自体の内部に、
取り付け対象への対向面に設けたスリーブ収容口３１Ｍからスリーブ１を収容するスリーブ収容空間３１と、
前記所定のハンドル取り付け側面に設けた固定具収容口３２Ｍから固定具を収容する固定具収容空間３２と、
スリーブ収容空間３１及び固定具収容空間３２を区画する区画枠３３とを具備してなる。
【００１６】
固定具収容空間３２内に収容された前記固定具２が、前記区画枠３３によって枠固定され、自由回転を制限された状態Ｓ２のまま固定具２の一部が第一収容空間３１に突出し、第一収容空間３１内のスリーブ１に固定される。
【００１７】
固定具２は第一収容空間３１側へ突出したまま第一収容空間３１内のスリーブ１に引っ張られる形で枠固定され、それ自体の自由回転が制限された枠固定状態Ｓ２を維持する。
【符号の説明】
【００１８】
取り付け対象面Ｏ
取り付けボルトＢ
スリーブ１
固定具２
ねじ部２１
頭部２２
取り付け脚部３
把持部４
スリーブ収容口３１Ｍ
スリーブ収容空間３１
固定具収容口３２Ｍ
溝３２Ｌ
固定具収容空間３２
区画枠３３
連通孔３３Ｈ
【図１】
0005688655.tif 000002
【図２】
0005688655.tif 000003
【図３】
0005688655.tif 000004
【図４】
0005688655.tif 000005
【図５】
0005688655.tif 000006
【図６】
0005688655.tif 000007
【図７】
0005688655.tif 000008